【手続補正書】
【提出日】平成19年3月20日(2007.3.20)
【手続補正１】
【補正対象書類名】特許請求の範囲
【補正対象項目名】全文
【補正方法】変更
【補正の内容】
【特許請求の範囲】
【請求項１】
記録媒体に記録されるコンテンツデータを処理する情報処理装置において、
前記コンテンツデータを前記記録媒体に記録するコンテンツデータ記録手段と、
前記コンテンツデータ記録手段により記録される前記コンテンツデータの読み出しの履歴を管理するための情報である履歴情報を作成する履歴情報作成手段と、
前記履歴情報作成手段により作成された前記履歴情報を、前記コンテンツデータに関連付けて、前記記録媒体に記録する履歴情報記録手段と、
前記コンテンツデータ記録手段により前記記録媒体に記録された前記コンテンツデータを読み出すコンテンツデータ読み出し手段と、
前記コンテンツデータ読み出し手段による前記コンテンツデータの読み出し処理に基づいて、前記履歴情報記録手段により前記記録媒体に記録されている前記履歴情報を更新する履歴情報更新手段と
を備えることを特徴とする情報処理装置。
【請求項２】
前記記録媒体は、半導体メモリを内蔵する、前記情報処理装置より着脱可能なカード型メモリである
ことを特徴とする請求項１に記載の情報処理装置。
【請求項３】
前記記録媒体の記録領域内に前記コンテンツデータを記録するための第１の記録領域を生成する第１の記録領域生成手段と、
前記記録媒体の前記記録領域内に前記履歴情報を記録するための第２の記録領域を生成する第２の記録領域生成手段と
をさらに備え、
前記コンテンツデータ記録手段は、前記コンテンツデータを、前記第１の記録領域生成手段により生成された前記第１の記録領域に記録し、
前記履歴情報記録手段は、前記履歴情報を、前記第２の記録領域生成手段により生成された前記第２の記録領域に記録する
ことを特徴とする請求項１に記載の情報処理装置。
【請求項４】
前記履歴情報は、前記履歴情報を識別するための情報である履歴情報識別情報と、前記履歴情報に関連付けられている前記コンテンツデータのステータスが未読であるか否かを示すステータスフラグを含み、
前記履歴情報更新手段は、前記コンテンツデータ読み出し手段による前記コンテンツデータの読み出し処理が行われたか否かに基づいて、前記ステータスフラグの値を更新する
ことを特徴とする請求項１に記載の情報処理装置。
【請求項５】
前記履歴情報は、前記コンテンツデータの出力先に関する情報である出力先情報、および、前記コンテンツデータが読み出された時刻を示す出力時刻情報をさらに含み、
前記履歴情報更新手段は、前記コンテンツデータ読み出し手段により読み出された前記コンテンツデータの出力先に関する情報に基づいて前記出力先情報を更新するとともに、前記コンテンツデータ読み出し手段により前記コンテンツデータが読み出されたときの時刻情報に基づいて前記出力時刻情報を更新する
ことを特徴とする請求項４に記載の情報処理装置。
【請求項６】
前記ステータスフラグは、前記コンテンツデータ読み出し手段により読み出された前記コンテンツデータの複製が生成されたか否かをさらに示し、
前記履歴情報更新手段は、前記コンテンツデータ読み出し手段により読み出された前記コンテンツデータの出力先における、前記コンテンツデータに対する処理内容に関する情報に基づいて、前記コンテンツデータの複製が生成されたか否かを判定し、その判定結果に基づいて前記ステータスフラグの値を更新する
ことを特徴とする請求項４に記載の情報処理装置。
【請求項７】
消去処理の対象であるコンテンツデータに対応する履歴情報を読み出す履歴情報読み出し手段と、
前記履歴情報読み出し手段により読み出された前記履歴情報の前記ステータスフラグの値を確認するステータス確認手段と、
前記ステータス確認手段により確認された前記コンテンツデータのステータスに応じて、前記コンテンツデータを消去するコンテンツデータ消去手段と、
前記コンテンツデータ消去手段により消去された前記コンテンツデータに対応する履歴情報を消去する履歴情報消去手段と
をさらに備えることを特徴とする請求項４に記載の情報処理装置。
【請求項８】
前記ステータス確認手段により確認された前記コンテンツデータのステータスに応じて、前記コンテンツデータの消去に関する警告をユーザに提示する警告提示手段をさらに備える
ことを特徴とする請求項７に記載の情報処理装置。
【請求項９】
前記警告提示手段により前記警告が提示された前記コンテンツデータの消去を行うか否かの、前記ユーザからの指示を受け付ける指示受付手段をさらに備える
ことを特徴とする請求項８に記載の情報処理装置。
【請求項１０】
記録媒体に記録されるコンテンツデータを処理する情報処理装置の情報処理方法であって、
前記コンテンツデータを前記記録媒体に記録するように制御するコンテンツデータ記録制御ステップと、
前記コンテンツデータ記録制御ステップの処理により制御されて記録される前記コンテンツデータの読み出しの履歴を管理するための情報である履歴情報を作成する履歴情報作成ステップと、
前記履歴情報作成ステップの処理により作成された前記履歴情報を、前記コンテンツデータに関連付けて、前記記録媒体に記録するように制御する履歴情報記録制御ステップと、
前記コンテンツデータ記録制御ステップの処理により制御されて前記記録媒体に記録された前記コンテンツデータを読み出すように制御するコンテンツデータ読み出し制御ステップと、
前記コンテンツデータ読み出し制御ステップの処理により制御された前記コンテンツデータの読み出し処理に基づいて、前記履歴情報記録制御ステップの処理により制御されて前記記録媒体に記録されている前記履歴情報を更新するように制御する履歴情報更新制御ステップと
を含むことを特徴とする情報処理方法。
【請求項１１】
記録媒体に記録されるコンテンツデータの処理を、コンピュータに行わせるプログラムにおいて、
前記コンテンツデータを前記記録媒体に記録するように制御するコンテンツデータ記録制御ステップと、
前記コンテンツデータ記録制御ステップの処理により制御されて記録される前記コンテンツデータの読み出しの履歴を管理するための情報である履歴情報を作成する履歴情報作成ステップと、
前記履歴情報作成ステップの処理により作成された前記履歴情報を、前記コンテンツデータに関連付けて、前記記録媒体に記録するように制御する履歴情報記録制御ステップと、
前記コンテンツデータ記録制御ステップの処理により制御されて前記記録媒体に記録された前記コンテンツデータを読み出すように制御するコンテンツデータ読み出し制御ステップと、
前記コンテンツデータ読み出し制御ステップの処理により制御された前記コンテンツデータの読み出し処理に基づいて、前記履歴情報記録制御ステップの処理により制御されて前記記録媒体に記録されている前記履歴情報を更新するように制御する履歴情報更新制御ステップと
を含むことを特徴とするプログラム。
【手続補正２】
【補正対象書類名】明細書
【補正対象項目名】００１３
【補正方法】変更
【補正の内容】
【００１３】
本発明の情報処理装置は、記録媒体に記録されるコンテンツデータを処理する情報処理装置であって、コンテンツデータを記録媒体に記録するコンテンツデータ記録手段と、コンテンツデータ記録手段により記録されるコンテンツデータの読み出しの履歴を管理するための情報である履歴情報を作成する履歴情報作成手段と、履歴情報作成手段により作成された履歴情報を、コンテンツデータに関連付けて、記録媒体に記録する履歴情報記録手段と、コンテンツデータ記録手段により記録媒体に記録されたコンテンツデータを読み出すコンテンツデータ読み出し手段と、コンテンツデータ読み出し手段によるコンテンツデータの読み出し処理に基づいて、履歴情報記録手段により記録媒体に記録されている履歴情報を更新する履歴情報更新手段とを備えることを特徴とする。
【手続補正３】
【補正対象書類名】明細書
【補正対象項目名】００２２
【補正方法】変更
【補正の内容】
【００２２】
本発明の情報処理方法は、記録媒体に記録されるコンテンツデータを処理する情報処理装置の情報処理方法であって、コンテンツデータを記録媒体に記録するように制御するコンテンツデータ記録制御ステップと、コンテンツデータ記録制御ステップの処理により制御されて記録されるコンテンツデータの読み出しの履歴を管理するための情報である履歴情報を作成する履歴情報作成ステップと、履歴情報作成ステップの処理により作成された履歴情報を、コンテンツデータに関連付けて、記録媒体に記録するように制御する履歴情報記録制御ステップと、コンテンツデータ記録制御ステップの処理により制御されて記録媒体に記録されたコンテンツデータを読み出すように制御するコンテンツデータ読み出し制御ステップと、コンテンツデータ読み出し制御ステップの処理により制御されたコンテンツデータの読み出し処理に基づいて、履歴情報記録制御ステップの処理により制御されて記録媒体に記録されている履歴情報を更新するように制御する履歴情報更新制御ステップとを含むことを特徴とする。
【手続補正４】
【補正対象書類名】明細書
【補正対象項目名】００２８
【補正方法】変更
【補正の内容】
【００２８】
請求項１に記載の情報処理装置は、記録媒体（例えば、図１のメモリ４２）に記録されるコンテンツデータを処理する情報処理装置（例えば、図１の撮像装置１）であって、前記コンテンツデータ（例えば、図３のコンテンツデータ１１１）を前記記録媒体に記録するコンテンツデータ記録手段（例えば、図６のステップＳ１１の処理を実行する図２の書き込み制御部６３）と、前記コンテンツデータ記録手段により記録される前記コンテンツデータの読み出しの履歴を管理するための情報である履歴情報（例えば、図３の履歴情報１２１）を作成する履歴情報作成手段（例えば、図６のステップＳ１２の処理を実行する図２の履歴情報管理部６５）と、前記履歴情報作成手段により作成された前記履歴情報を、前記コンテンツデータに関連付けて、前記記録媒体に記録する履歴情報記録手段（例えば、図６のステップＳ１３の処理を実行する図２の書き込み制御部６３）と、前記コンテンツデータ記録手段により前記記録媒体に記録された前記コンテンツデータを読み出すコンテンツデータ読み出し手段（例えば、図７のステップＳ２２の処理を実行する図２の読み出し制御部６４）と、前記コンテンツデータ読み出し手段による前記コンテンツデータの読み出し処理に基づいて、前記履歴情報記録手段により前記記録媒体に記録されている前記履歴情報を更新する履歴情報更新手段（例えば、図７のステップＳ３２の処理を実行する図２の書き込み制御部６３）とを備えることを特徴とする。
【手続補正５】
【補正対象書類名】明細書
【補正対象項目名】００３６
【補正方法】変更
【補正の内容】
【００３６】
請求項１０に記載の情報処理方法は、記録媒体（例えば、図１のメモリ４２）に記録されるコンテンツデータを処理する情報処理装置（例えば、図１の撮像装置１）の情報処理方法であって、前記コンテンツデータ（例えば、図３のコンテンツデータ１１１）を前記記録媒体に記録するように制御するコンテンツデータ記録制御ステップ（例えば、図６のステップＳ１１）と、前記コンテンツデータ記録制御ステップの処理により制御されて記録される前記コンテンツデータの読み出しの履歴を管理するための情報である履歴情報（例えば、図３の履歴情報１２１）を作成する履歴情報作成ステップ（例えば、図６のステップＳ１２）と、前記履歴情報作成ステップの処理により作成された前記履歴情報を、前記コンテンツデータに関連付けて、前記記録媒体に記録するように制御する履歴情報記録制御ステップ（例えば、図６のステップＳ１３）と、前記コンテンツデータ記録制御ステップの処理により制御されて前記記録媒体に記録された前記コンテンツデータを読み出すように制御するコンテンツデータ読み出し制御ステップ（例えば、図７のステップＳ２２）と、前記コンテンツデータ読み出し制御ステップの処理により制御された前記コンテンツデータの読み出し処理に基づいて、前記履歴情報記録制御ステップの処理により制御されて前記記録媒体に記録されている前記履歴情報を更新するように制御する履歴情報更新制御ステップ（例えば、図７のステップＳ３２）とを含むことを特徴とする。